(57)【要約】【課題】  シリンダ錠が完全にシリンダ筒等の保持部材に埋設されて、内筒の回動が外部から確認できない錠前においても施解錠の表示ができる施解錠表示装置を提供する。【解決手段】  ブロック状の基盤８内に内側シリンダ錠４を組み込み、その内筒に同軸に連結されたサムターンコア１１のアーム１３の先端に連結バー１４を植設する。一方、カバー１７の底面内側表示リング２１を回動可能に案内し、また、表示リング２１の室外側の面に連結筒１５を植設し、これら連結バー及び連結筒を逃げ溝内で嵌合させてサムターンコアと表示リングとを相互に連結し、更にまた、表示リングの室内側の面に対向するカバーの底面に表示窓を形成し、施錠時、及び解錠時この表示窓から覗く表示リングの部分に、色相差を設ける。【選択図】  図１
2006200223.tif 000002
【特許請求の範囲】
【請求項１】
扉に埋設された錠箱を挟むようにして扉内、外面にシリンダ錠を装着し、これら室内側、及び室外側のシリンダ錠の内筒を錠箱内の施解錠操作部材に連結させると共に、室内側のシリンダ錠の合鍵をサムターンの摘みとして抜き挿しできるようにした防犯型サムターンにおいて、扉内面に固着されたブロック体で、室内側のシリンダ錠を収納した外筒を兼ねる基盤と、室内側のシリンダ錠の内筒に同軸に連結されたサムターンコアと、穴開きカップ状で、基盤を覆うようにしてこれに装着されるカバーとを有し、サムターンコアにシリンダ錠の半径方向に延伸するアームを一体に形成すると共に、このアームの先端の室内側に、連結バー及び連結バーと摺動可能に嵌合する連結筒の何れか一方を植設し、これら連結バー或いは連結筒と干渉しないように、扉面に対する投影形状が円弧状の逃げ溝を基盤に形成し、一方、カバーの底面内側の開口端縁付近に、先端に外向きの係止爪を形成し、弾性材料よりなる複数の支持片を形成し、これらの支持片に外接する表示リングを係止爪により支持片から外れないように係止すると共に、支持片の回りを回動可能に案内し、また、表示リングの室外側の面に連結バー及び連結筒の他方を植設し、これら連結バー及び連結筒を逃げ溝内で嵌合させてサムターンコアと表示リングとを相互に連結し、他方、表示リングの室内側の面に対向するカバーの底面に表示窓を形成し、施錠時、及び解錠時この表示窓から覗く表示リングの部分に、明暗差、色相差、或いは反射率の差等を設けたことを特徴とする施解錠表示装置。
【発明の詳細な説明】
【技術分野】
【０００１】
この発明は、錠前が施錠されているか解錠されているかを外部から容易に判別できるようにした施解錠表示装置に係り、特に、シリンダ錠が完全にシリンダ筒等の保持部材に埋設されて、内筒の回動が外部から確認できない錠前においても施解錠の表示ができる施解錠表示装置に関する。
【背景技術】
【０００２】
施解錠表示装置は、扉、机の引出し或いは他の施錠箇所に装着されたシリンダ錠が施錠状態にあるか、或いは解錠状態にあるかを表示する装置で、例えば後記特許文献１及び２に示すように、通常、固定の外筒に対する可動の内筒の相対角度位置変化を利用して施解錠状態を表示する。
【０００３】
この場合、通常の錠前では内筒のキーガイドが外部空間に露出しているから、係る施解錠表示装置の構成は比較的簡単であり、種々の施解錠表示装置が提案されている。
【特許文献１】特開平０９−０２５７５１号公報
【特許文献２】特開平１１−１９３６５５号公報
【特許文献３】特開平１１−２００６７８号公報
【特許文献４】特願２００４−３３８７７５
【発明の開示】
【発明が解決しようとする課題】
【０００４】
ところで、錠前の種類によっては、例えば上記特許文献３に記載されているように、シリンダ錠がシリンダ筒等の保持部材に完全に埋設されてしまうものもある。
【０００５】
上記特許文献３に記載されたシリンダ錠は、所謂防犯型サムターンに使用されるもので、通常はサムターンに直結される横断面形状が十字形のダルマ操作軸が、扉に埋設されたシリンダ錠の内筒に連結されており、このシリンダ錠の鍵孔に室内側から抜き差しされる合鍵をサムターンの摘みとして、必要のないときには合鍵を抜いてしまい、室外側から手を差し入れてサムターンを操作することによる不正解錠を防止しようとするものである。
【０００６】
このような所謂防犯型サムターンに用いられるシリンダ錠は、通常、又は特許文献３の図面から明らかなように、シリンダ錠の室内側の端面が合鍵の保持機構に覆われるので、従来の施解錠表示装置をその侭採用することができない。
【０００７】
本出願人は、先に、上記特許文献４を以て、シリンダ筒や化粧カバーに覆われたシリンダ錠の施解錠状態を表示できる施解錠表示装置を提案した。
【０００８】
この施解錠表示装置は、シリンダ錠の施解錠状態を棒状のインジケータの出没により表示するようにしたもので、夜間照明が無いときでも施解錠状態を検知できるという利点は有るにしても、少しく構造が複雑で、未だ改良の余地がある。
【０００９】
そこで、この発明は、シリンダ錠がシリンダ筒や化粧カバー等の保持部材に埋没していて外部空間に露出していない場合でも、そのシリンダ錠の施解錠状態を表示できる施解錠表示装置を提供することを目的としている。
【課題を解決するための手段】
【００１０】
上記の目的を達成するため、請求項１に記載の発明は、扉に埋設された錠箱を挟むようにして扉内、外面にシリンダ錠を装着し、これら室内側、及び室外側のシリンダ錠の内筒を錠箱内の施解錠操作部材に連結させると共に、室内側のシリンダ錠の合鍵をサムターンの摘みとして抜き挿しできるようにした防犯型サムターンにおいて、扉内面に固着されたブロック体で、室内側のシリンダ錠を収納した外筒を兼ねる基盤と、室内側のシリンダ錠の内筒に同軸に連結されたサムターンコアと、穴開きカップ状で、基盤を覆うようにしてこれに装着されるカバーとを有し、サムターンコアにシリンダ錠の半径方向に延伸するアームを一体に形成すると共に、このアームの先端の室内側に、連結バー及び連結バーと摺動可能に嵌合する連結筒の何れか一方を植設し、これら連結バー或いは連結筒と干渉しないように、扉面に対する投影形状が円弧状の逃げ溝を基盤に形成し、一方、カバーの底面内側の開口端縁付近に、先端に外向きの係止爪を形成し、弾性材料よりなる複数の支持片を形成し、これらの支持片に外接する表示リングを係止爪により支持片から外れないように係止すると共に、支持片の回りを回動可能に案内し、また、表示リングの室外側の面に連結バー及び連結筒の他方を植設し、これら連結バー及び連結筒を逃げ溝内で嵌合させてサムターンコアと表示リングとを相互に連結し、他方、表示リングの室内側の面に対向するカバーの底面に表示窓を形成し、施錠時、及び解錠時この表示窓から覗く表示リングの部分に、明暗差、色相差、或いは反射率の差等を設けたことを特徴とする。
【発明の効果】
【００１１】
上記のように構成された請求項１に記載の発明による施解錠表示装置は、室内側からのサムターンの操作時、摘みと一体のサムターンコアの回動は、連結筒と連結バーの嵌合を介して表示リングに伝達されるので、カバーの表示窓から覗く表示リングの部分に色相差等を設ければ、その色違いを視認することによって、合鍵がシリンダ錠から抜かれた状態であっても、施錠又は解錠の別を識別することができる、という所期の効果を奏する。
【００１２】
また、カバーを基盤に被せる操作と連結バー及び連結筒を嵌合させる操作が一動作でできるので、組立が簡単である、等種々の効果を奏する。
【発明を実施するための最良の形態】
【００１３】
カバーの内面に表示リングを同軸かつ回動可能に設け、基盤に関しこの表示リングと反対側に設けられたサムターンコアとをアーム、連結バー及び連結筒とでシリンダ錠を避けて一体に連結したので、シリンダ錠の内筒が基盤等により完全に被覆されていても、内筒の動きをカバー外に示すことができた。
【実施例１】
【００１４】
以下、この発明の実施例を図面を参照して説明する。
図１において符号１は扉を示し、この扉１に埋設された錠箱２の所謂ダルマ等の施解錠操作部材３を挟むようにして、内側及び外側シリンダ錠４、５が装着されている。
【００１５】
これら内側及び外側シリンダ錠４、５の内筒は直接に、或いはクラッチを介して間接的にダルマ３に連結されている。通常、外側シリンダ錠５の内筒がクラッチを介してダルマ３に連結されている。
【００１６】
そして、外側からは図示しない合鍵を外側シリンダ錠の鍵孔に挿入して所定の方向に回動することにより、室内側から合鍵６を内側シリンダ錠４の鍵孔に挿入して所定の方向に回動することにより、夫々ダルマ３を回動して施解錠操作をすることができる。
【００１７】
上記した構成の所謂防犯型サムターンを有する錠前は、室内側の合鍵６を抜いてしまえば、サムターンを操作することによる例えばサムターン回し等の不正解錠を防止することができる。
【００１８】
なお、内側及び外側シリンダ錠の内筒のダルマとの連結の態様は、この発明の要旨ではないので、更に詳細な説明は省略する。
【００１９】
ちなみに、通常室内側の合鍵の摘み７は偏平なので、摘み７の扉面に対する投影が縦か横かで施解錠状態を知ることができ、出願人の製造に係る防犯型サムターンでは上記投影が横の場合施錠と定めてある。
【００２０】
しかしながら、必要があって合鍵６を内側シリンダ錠から抜いた状態では施解錠状態を知ることができない。この発明は、合鍵６を抜いた状態でも施錠、及び解錠の区別を識別できる施解錠表示装置を提供することを目的としている。
【００２１】
この発明における内側シリンダ錠４は、図１に示すように、シリンダ錠の外筒を兼ねるブロック錠の基盤８に組み込まれている。
【００２２】
この基盤８は、図２乃至図４に示すように、大体の形状が段付円筒形のブロック体で、その中心軸に沿って、小径の円形孔と、内側シリンダ錠のタンブラー軍を収納する断面十字形のタンブラー収納孔が連設されている。
【００２３】
また、基盤８の室外側の面に形成された外側凹陥部９（図３及び図４参照）にサムターンコア１１が回動可能に収納されている。
【００２４】
このサムターンコア１１は、大体の形状がカップ状の部材で、その室内側の面には、図５に示すように、内側シリンダ錠４の内筒と係合する十字形で摺り鉢状の係合穴１２が形成されている。
【００２５】
また、このサムターンコア１１には、内側シリンダ錠の半径方向に延伸するアーム１３が一体に形成されており、このアーム１３の先端の室内側に、連結バー１４（図１参照）が植設されている。
【００２６】
一方、この連結バー及びこれと嵌合する後述の連結筒１５との干渉を避けるため、図２乃至図４に示すように、扉面への投影形状が円弧状の逃げ溝１６が基盤８に形成されている。
【００２７】
他方、この発明による防犯型サムターンには、図１に示すように、穴開きカップ状で、例えばプラスチック等の弾性材質のカバー１７が基盤８を覆うように装着されている。
【００２８】
そして、図６及び図７に示すように、このカバーの底面内側の開口端縁付近に、開口を包囲するようにして、同軸の短円筒体をその母線に沿って複数個（図示の実施例では６個）に分割した形状の支持片１８、１８が一体に形成されている。
【００２９】
上記したように、この実施例ではカバー１７が弾性材質であるから、上記支持片も弾性を有する可撓体である。
【００３０】
上記各支持片１８の先端には、図８に示すように、外向きの係止爪１９が一体に形成されている。
【００３１】
これらの支持片１８、１８の外側には、図１に示すように、これらに外接する表示リング２１（図１参照）が回動可能に支持、案内されると共に、係止爪１９、１９により支持片１８、１８から外れないように係止されている。
【００３２】
ちなみに、表示リング２１を支持片１８、１８に装着するには、前者を後者が構成する略円筒形の開口端に押し付けるだけでよい。
【００３３】
このようにすると、係止爪１９の外側に傾斜部と表示リング２１の開口端縁との間に生じる楔作用により、支持片１８、１８は内側に弾性変形し、表示リング２１が係止爪１９、１９を潜り抜けた後は、支持片が復帰して図１に示す状態になる。
【００３４】
また、表示リングの室内側の面の所定の角度位置に、図１及び図１０に示すように、前記連結バー１４と嵌合する連結筒１５が植設されている。
【００３５】
更にまた、表示リング２１の室内側の面と摺接するカバー１７の底面には、図６及び図９に示すように、例えば円形の表示窓２２が開口している。
【００３６】
そして、施錠時或いは解錠時この表示窓から覗く表示リングの室内側の面に、色相差（色の違い）、明暗差又は反射率の差等を設け、施解錠状態に応じて、表示窓から覗く部分の色の違い等から施錠、或いは解錠の識別ができるようにしてある。
【００３７】
なお、この発明においては、カバー１７の基盤８への装着と、連結バー１４及び連結筒１５の嵌合、すなわち、サムターンコア１１と表示リング２１の連結を一動作でできるように構成されている。
【００３８】
すなわち、図７及び図９に示すように、カバー１７の開口端縁部内周面の中心軸に関して対称的な位置に、内側に突出する係着爪２３、２３が形成されている。
【００３９】
そして、これに対応して、図２乃至図４に示すように、基盤８の外周部の中心軸に関し対称的な角度位置に、母線に沿って一対の通し溝２４、２４が、また、外周面の中央部にはその大部分を包囲する段部２５が夫々形成されている。
【００４０】
上記一対の通し溝２４、２４の間隔は、上記カバーの係着爪２３、２３の間隔よりも小さく設定されているので、図３に示す角度位置における基盤８に体し、図７に示す角度位置におけるカバー１７を近接させ、係着爪２３、２３を通し溝２４、２４を通過させた後、時計盤面に換算して９時の角度位置における表示窓２２を１２時の角度位置になるように時計方向に回す。
【００４１】
すると、係着爪２３のカバー１７の開口端縁からの距離が適当に設定されているので、係着爪２３が基盤の段部２５に係合したとき、カバー１７の開口端縁がこれもカップ状の下カバー２６（図１参照）の開口端縁とピッタリ接合する。
【００４２】
なお、カバー１７と表示リング２１との相対角度間隔は自由に設定できるから、カバー１７を基盤８に近接させるとき、その連結筒１５とサムターンコア側の連結バーとの角度位置を同じくしておくと、カバー１７による基盤８の被覆と連結バー１４及び連結筒１５との嵌合が自動的におこなわれる。
【図面の簡単な説明】
【００４３】
【図１】この発明の一実施例による施解錠表示装置を装着した錠前の断面図。
【図２】基盤を室内側から見た正面図。
【図３】基盤の断面図。
【図４】基盤の背面図。
【図５】サムターンコアの正面図。
【図６】カバーの背面図。
【図７】図６のＶＩＩ−ＶＩＩ線による断面図。
【図８】支持片の拡大断面図。
【図９】図６のＩＸ−ＩＸ線による断面図。
【図１０】表示リングの背面図。
【符号の説明】
【００４４】
１  扉
２  錠箱
３  ダルマ
４  内側シリンダ錠
５  外側シリンダ錠
６  合鍵
７  摘み
８  基盤
９  外側凹陥部
１１  サムターンコア
１２  係合穴
１３  アーム
１４  連結バー
１５  連結筒
１６  逃げ溝
１７  カバー
１８  支持片
１９  係止爪
２１  表示リング
２２  表示窓
２３  係着爪
２４  通し溝
２５  段部
２６  下カバー
【図１】
2006200223.tif 000003
【図２】
2006200223.tif 000004
【図３】
2006200223.tif 000005
【図４】
2006200223.tif 000006
【図５】
2006200223.tif 000007
【図６】
2006200223.tif 000008
【図７】
2006200223.tif 000009
【図８】
2006200223.tif 000010
【図９】
2006200223.tif 000011
【図１０】
2006200223.tif 000012